(57)【要約】【課題】ＳＴＢやＤＶＤレコーダのような映像表示デバイスを持たない機器にＩＰ放送受信機能を搭載した場合に、ユーザがＴＶの入力切替で画面を切り替えて、ＩＰ放送の視聴を止めた場合でも、ＳＴＢやＤＶＤレコーダは、ＩＰ放送の視聴を継続するため、映像ストリームが流れたままとなり、一般家庭のネットワーク帯域が浪費されるとともに、配信サーバのリソースを占有したままになるという課題があった。【解決手段】映像表示端末は、画面装置が映像受信端末の映像出力を表示している状態から、非表示状態に変化した際に、情報伝達手段を介して、表示状態変化イベントを通知し、表示状態変化イベントを受信した映像受信端末は、映像を録画中で無い場合、マルチキャストグループ離脱メッセージを送信し、映像コンテンツの受信・再生を終了する。【選択図】図７
2009218816.tif 000002
【特許請求の範囲】
【請求項１】
ＩＰ（Internet Protocol）ネットワークを介して映像コンテンツを受信および再生することが可能な映像受信端末と、映像を表示可能な画面装置を備えた映像表示端末とを有する映像システムであって、
前記映像受信端末の映像出力を前記映像表示端末に表示するための映像伝達手段と、
前記映像受信端末および前記映像表示端末の相互に制御情報を伝達可能な情報伝達手段とを備え、
前記映像表示端末は、前記画面装置が前記映像受信端末の映像出力を表示している状態から、前記映像受信端末の映像出力を表示していない状態に変化した際に、前記情報伝達手段を介して、前記映像受信端末に対して、表示状態変化イベントを通知し、
前記表示状態変化イベントを受信した前記映像受信端末は、映像コンテンツの受信および再生を終了する
ことを特徴とする映像システム。
【請求項２】
前記映像受信端末は、ＩＰマルチキャストで配信される映像コンテンツを受信および再生中に、前記映像表示端末から、前記情報伝達手段を介して表示状態変化イベントを受信した際に、マルチキャストグループ離脱メッセージを送信し、映像コンテンツの受信および再生を終了する
ことを特徴とする請求項１記載の映像システム。
【請求項３】
前記映像受信端末は、映像コンテンツを受信および再生中に、前記映像表示端末から、前記情報伝達手段を介して表示状態変化イベントを受信した際に、映像コンテンツを録画中の場合は、映像コンテンツの受信および再生処理を継続し、映像コンテンツを録画中でない場合は、映像コンテンツの受信および再生を終了する
ことを特徴とする請求項１記載の映像システム。
【請求項４】
前記映像受信端末は、ＩＰマルチキャストで配信される映像コンテンツを受信および再生中に、前記映像表示端末から、前記情報伝達手段を介して表示状態変化イベントを通知された際に、映像コンテンツを録画中でない場合は、マルチキャストグループ離脱メッセージを送信し、映像コンテンツの受信および再生を終了する
ことを特徴とする請求項３記載の映像システム。
【請求項５】
ＩＰ（Internet Protocol）ネットワークを介して映像コンテンツを受信および再生することが可能な映像受信端末であって、
映像を表示可能な画面装置を備えた映像表示端末に、前記映像受信端末の映像出力を送信する映像送信手段と、
前記映像表示端末との間で制御情報の伝達が可能な情報伝達手段と、
前記情報伝達手段が前記映像表示端末から表示状態変化イベントを受信すると、映像コンテンツの受信および再生を終了する受信再生制御手段と
を備えることを特徴とする映像受信端末。
【請求項６】
映像を表示可能な画面装置を備えた映像表示端末であって、
ＩＰ（Internet Protocol）ネットワークを介して映像コンテンツを受信および再生することが可能な映像受信端末からの映像出力を取得する映像取得手段と、
前記映像受信端末との間で制御情報の伝達が可能な情報伝達手段と、
前記画面装置が前記映像受信端末の映像出力を表示している状態から、前記映像受信端末の映像出力を表示していない状態に変化した際に、前記情報伝達手段を介して、前記映像受信端末に対して、表示状態変化イベントを通知するイベント通知手段と
を備えることを特徴とする映像表示端末。
【請求項７】
ＩＰ（Internet Protocol）ネットワークを介して映像コンテンツを受信および再生する映像受信方法であって、
映像を表示可能な画面装置を備えた映像表示端末に、前記映像受信端末の映像出力を送信する映像送信ステップと、
前記映像表示端末から表示状態変化イベントを受信すると、映像コンテンツの受信および再生を終了する受信再生制御ステップと
を含むことを特徴とする映像受信方法。
【請求項８】
映像を表示可能な画面装置を用いた映像表示方法であって、
ＩＰ（Internet Protocol）ネットワークを介して映像コンテンツを受信および再生することが可能な映像受信端末からの映像出力を取得する映像取得ステップと、
前記画面装置が前記映像受信端末の映像出力を表示している状態から、前記映像受信端末の映像出力を表示していない状態に変化した際に、前記映像受信端末に対して、表示状態変化イベントを通知するイベント通知ステップと
を含むことを特徴とする映像表示方法。
【発明の詳細な説明】
【技術分野】
【０００１】
本発明は、インターネットなどのＩＰ（Internet Protocol）ネットワークを使った通信分野における映像システム、映像受信端末および映像表示端末に関し、特に、複数の映像受信端末が接続されているネットワークの帯域破綻防止に関するものである。
【背景技術】
【０００２】
ＩＰネットワーク上で映像コンテンツを提供する放送型サービス（以下、ＩＰ放送）は、ＩＰマルチキャスト技術を用いて実現されることが一般的である。ＩＰマルチキャスト技術では、受信端末が映像ストリームを制御するプロトコルとして、ＩＧＭＰ（Ｉｎｔｅｒｎｅｔ Ｇｒｏｕｐ Ｍａｎａｇｅｍｅｎｔ Ｐｒｏｔｏｃｏｌ）やＭＬＤ（Ｍｕｌｔｉｃａｓｔ Ｌｉｓｔｅｎｅｒ Ｄｉｓｃｏｖｅｒｙ）を用いる。これらの標準プロトコルでは、受信端末が、映像ストリームの受信を開始したい場合は、Ｊｏｉｎメッセージをネットワーク上の中継ルーターに対して送信し、反対に、映像ストリームの受信を中止したい場合は、Ｌｅａｖｅメッセージを送信することで、受信端末は、所望の映像ストリームだけを受信することが可能となっている（非特許文献１および非特許文献２）。
【０００３】
ここで、ＩＰ放送をＦＴＴＨ（Fiber To The Home）等のブロードバンドアクセス回線を介して、一般家庭に提供する場合、通信帯域の確保の問題が生じる。ＩＰ放送では、１チャンネルの視聴毎に、一定のネットワーク帯域を占有するため、各家庭のネットワーク帯域の上限を超えた数のチャンネル数を視聴した場合、当然ながら、ＩＰ放送の映像品質に劣化が発生する。一方、ＩＧＭＰやＭＬＤでは、上述の通り、単純なＪｏｉｎ、Ｌｅａｖｅの制御を行なうだけであり、ネットワーク帯域を考慮した映像ストリーム制御を行なうことは出来ない。
【０００４】
この課題に対する従来技術として、特許文献１「マルチキャスト映像配信システム及び同システムにおけるリクエスト受付処理プログラム」に開示された方法がある。この方法では、加入者回線とバックボーンネットワークの間に、フィルタリングゲートウェイ装置を設置する。フィルタリングゲートウェイ装置は、受信端末から視聴要求リクエストを受信した場合、１）既に同じチャンネルを視聴している受信端末があるか否か、２）ネットワーク帯域に余裕があるか否かをチェックし、リクエスト処理の中継動作を動的に変更する。これらの動作により、加入者回線に伝送される情報量を動的に制御し、ネットワーク帯域溢れの課題を解決している。
【特許文献１】特許第３６５２６７０号
【非特許文献１】ＲＦＣ２３２６  ＩＧＭＰ Ｖｅｒｓｉｏｎ２
【非特許文献２】ＲＦＣ３８１０  ＭＬＤ  Ｖｅｒｓｉｏｎ２
【発明の開示】
【発明が解決しようとする課題】
【０００５】
しかしながら、ＳＴＢ（Set Top Box）やＤＶＤ（Digital Versatile Disk）レコーダのような映像表示デバイスを持たない機器にＩＰ放送受信機能を搭載した場合に、新たな課題が発生する。ユーザがＴＶ（television）の入力切替で画面を切り替えて、ＩＰ放送の視聴を止めた場合でも、ＳＴＢやＤＶＤレコーダは、ＩＰ放送の視聴を継続するため、映像ストリームが流れたままとなり、一般家庭のネットワーク帯域が浪費されるとともに、配信サーバのリソースを占有したままになるという課題があった。
【０００６】
そこで、本発明は、かかる問題に鑑みてなされたものであって、ネットワーク帯域の浪費を防止するとともにリソースの効率的な利用を図る映像システム、映像受信端末および映像表示端末を提供することを目的とする。
【課題を解決するための手段】
【０００７】
上記目的を達成するために、本発明の映像システムは、ＩＰネットワークを介して映像コンテンツを受信および再生することが可能な映像受信端末と、映像を表示可能な画面装置を備えた映像表示端末とを有する映像システムであって、映像受信端末の映像出力を映像表示端末に表示するための映像伝達手段と、前記映像受信端末および前記映像表示端末の相互に制御情報を伝達可能な情報伝達手段とを備え、映像表示端末は、画面装置が映像受信端末の映像出力を表示している状態から、映像受信端末の映像出力を表示していない状態に変化した際に、情報伝達手段を介して、映像受信端末に対して、表示状態変化イベントを通知し、表示状態変化イベントを受信した映像受信端末は、映像コンテンツの受信および再生を終了することを特徴とする。
【０００８】
また、映像受信端末は、ＩＰマルチキャストで配信される映像コンテンツを受信および再生中に、映像表示端末から、情報伝達手段を介して表示状態変化イベントを受信した際に、マルチキャストグループ離脱メッセージを送信し、映像コンテンツの受信および再生を終了することを特徴とする。
【０００９】
また、映像受信端末は、映像コンテンツを受信および再生中に、映像表示端末から、情報伝達手段を介して表示状態変化イベントを受信した際に、映像コンテンツを録画中の場合は、映像コンテンツの受信および再生処理を継続し、映像コンテンツを録画中でない場合は、映像コンテンツの受信および再生を終了することを特徴とする。
【００１０】
また、映像受信端末は、ＩＰマルチキャストで配信される映像コンテンツを受信および再生中に、映像表示端末から、情報伝達手段を介して表示状態変化イベントを通知された際に、映像コンテンツを録画中でない場合は、マルチキャストグループ離脱メッセージを送信し、映像コンテンツの受信および再生を終了することを特徴とする。
【００１１】
なお、本発明は、このような映像システムとして実現することができるだけでなく、その映像システムに含まれる映像受信端末や、映像表示端末、映像を受信または表示する方法、プログラム、そのプログラムを格納する記憶媒体、集積回路としても実現することができる。
【発明の効果】
【００１２】
本発明では、ＳＴＢやＤＶＤレコーダのような映像表示デバイスを持たない家電機器にＩＰ放送の受信機能を搭載した場合に、ＴＶの画面表示状態を基に、ユーザが視聴していないと判定できる場合は、自動的にＩＰ放送の受信を終了させることにより、ユーザが意図せずにＩＰ放送の受信を継続することを防止し、一般家庭のネットワーク帯域が浪費されるとともに、配信サーバのリソースを占有したままになるという課題を解決することが可能となる。
【発明を実施するための最良の形態】
【００１３】
以下、本発明を実施するための実施の形態について、図面を参照しながら説明する。
【００１４】
（ＩＰ放送システムの基本動作）
まず始めに、本発明の前提となるＩＰ放送システムの基本動作を説明する。
【００１５】
図１は、ＩＰマルチキャスト技術を用いたＩＰ放送システムの構成を示した図である。映像サーバ１０６は、映像コンテンツをＩＰマルチキャスト通信により、ネットワーク上へ送出する機能を備える。ＤＶＤレコーダ１０２は、ＩＰマルチキャストで送信された映像コンテンツを受信および再生する機能を備える。エッジルータ１０５は、映像サーバ１０６とＤＶＤレコーダ間のＩＰマルチキャスト通信を制御する機能を備える。ＤＶＤレコーダ１０２は、ＩＰネットワークを介して、エッジルータ１０５と接続される。ＩＰネットワーク１０４には、複数のＤＶＤレコーダ１０２を接続してもよい。なお、本実施の形態では、ＴＶ１０１とＤＶＤレコーダ１０２とから映像システムが構成されている。
【００１６】
次に、ＩＰ放送システムの各構成要素の動作を図２および図３を参照して説明する。図２は、ＩＰ放送システムのチャンネル名とマルチキャストアドレスのチャンネル対応表２０１である。チャンネル対応表２０１では、チャンネルＡは２２５．１．１．１のマルチキャストアドレスを用いて配信することが規定されており、チャンネルＢ、Ｃ、Ｄも同様である。チャンネル対応表２０１は、ＩＰ放送システム全体として、一意に定まるものであり、ＤＶＤレコーダ１０２は、例えば、ネットワーク上のサーバから取得するなどの手段により、チャンネル対応表２０１を取得するものとする。
【００１７】
図３は、ＩＰ放送システムにおいて、視聴開始、チャンネル切替、視聴終了の各動作を実行した際の通信シーケンスを示した図である。ユーザ３０１がリモコン（図示しない）でチャンネルＡを選択するなどして、ＤＶＤレコーダ１０２に対してチャンネルＡの視聴開始操作を行なうと、ＤＶＤレコーダ１０２は、チャンネル対応表２０１により、チャンネルＡに対応するマルチキャストアドレス２２５．１．１．１を取得する。次にＤＶＤレコーダ１０２は、エッジルータ１０５に対して、２２５．１．１．１宛のＩＧＭＰ Ｊｏｉｎメッセージを送信する。ＩＧＭＰ Ｊｏｉｎを受信したエッジルータ１０５は、２２５．１．１．１宛の映像ストリームの中継を開始し、ＤＶＤレコーダ１０２に２２５．１．１．１宛の映像ストリームが配信されることになる。ＤＶＤレコーダ１０２は、２２５．１．１．１宛の映像ストリームを受信・再生を開始し、ＤＶＤレコーダ１０２とＨＤＭＩ（High-Definition Multimedia Interface）ケーブル１０３で接続されたＴＶ１０１に映像が出力されることにより、ユーザ３０１は、チャンネルＡを視聴できることになる。
【００１８】
次に、ユーザ３０１がチャンネルＢを選択した際の動作を説明する。ＤＶＤレコーダ１０２は、エッジルータ１０５に対して、２２５．１．１．１宛のＩＧＭＰ Ｌｅａｖｅメッセージを送信する。２２５．１．１．１宛のＩＧＭＰ Ｌｅａｖｅを受信したエッジルータ１０５は、２２５．１．１．１宛の映像ストリームの中継を止める。次に、ＤＶＤレコーダ１０２は、チャンネルＢに対応するマルチキャストアドレス２２５．１．１．２をチャンネル対応表２０１から取得し、エッジルータ１０５に対して、２２５．１．１．２宛のＩＧＭＰ Ｊｏｉｎを送信する。チャンネルＡの視聴開始動作と同様に、２２５．１．１．２宛の映像ストリームがＤＶＤレコーダ１０２へ配信されることにより、ユーザ３０１は、チャンネルＢを視聴できる。
【００１９】
次に、ユーザ３０１がチャンネルＢの視聴を終了すると、ＤＶＤレコーダ１０２は、２２５．１．１．２宛のＩＧＭＰ Ｌｅａｖｅをエッジルータ１０５に対して送信し、エッジルータが２２５．１．１．２宛の映像ストリームの中継を止めることで、チャンネルＢの受信・再生を終了する。
【００２０】
尚、図３では、映像サーバ１０６からエッジルータ１０５に対して、全チャンネルの映像ストリームが配信されているが、一部の必要なチャンネルの映像ストリームだけを配信する形態もあり得る。映像サーバ１０６とエッジルータ１０５間のマルチキャスト経路制御に関しては、本発明に直接関与しないため、特に説明しない。また本実施例では、ＩＧＭＰを用いて説明するが、ＩＰｖ６の場合は、ＭＬＤにより、同様の制御が可能である。
【００２１】
（システムの構成）
図４は、本発明の一実施例に係るＴＶ１０１の構成を示すブロック図である。図４に示すように、ＴＶ１０１は、リモコン受信部４０２とマイコン４０３とＨＤＭＩ／ＣＥＣ通信部４０４とチューナ４０５とデコーダ４０６とディスプレイ／スピーカ４０７とから構成される。リモコン受信部４０２がリモコンからの制御コマンドを受信すると、マイコン４０３は、受信したコマンドに応じた処理を行なう。例えば、チューナ４０５のチャンネル選局切替や、デコーダ４０６の入出力切替を行なう。デコーダ４０６は、チューナ４０５やＨＤＭＩ／ＣＥＣ通信部４０４から入力された映像信号を、マイコン４０３の指示に応じて、ディスプレイ／スピーカ４０７に出力する。
【００２２】
図５は、本発明の一実施例に係るＤＶＤレコーダ１０２の構成を示すブロック図である。図５に示すように、ＤＶＤレコーダ１０２は、リモコン受信部５０２とマイコン５０３とＨＤＭＩ／ＣＥＣ通信部５０４とＩＰ通信部５０５とデコーダ５０６と映像・音声出力部５０７とから構成される。ＤＶＤレコーダ１０２は、リモコン受信部５０２が、チャンネルＢの視聴コマンドを受信すると、マイコン５０３が、メモリ５０８に保持しているチャンネル対応表５０９から、チャンネルＡに対応するマルチキャストアドレス２２５．１．１．１を読み出し、ＩＰ通信部５０５に受信開始を指示する。ＩＰ通信部５０５は、２２５．１．１．１宛のＩＧＭＰ ＪｏｉｎメッセージをＩＰネットワーク１０４に送信し、チャンネルＡの映像ストリームの配信が開始される。ＩＰ通信部５０５は、チャンネルＡの映像ストリームを受信し、ＩＰパケット処理を行なった後、デコーダ５０６に映像ストリームを入力する。デコーダ５０６は映像・音声のデコード処理を行ない、映像・音声出力部５０７またはＨＤＭＩ／ＣＥＣ通信部５０４に映像信号を出力する。映像・音声出力部５０７またはＨＤＭＩ／ＣＥＣ通信部５０４のどちらに映像信号を出力するかは、マイコン５０３の指示による。
【００２３】
ＴＶ１０１のＨＤＭＩ／ＣＥＣ通信部４０４とＤＶＤレコーダ１０２のＨＤＭＩ／ＣＥＣ通信部５０４は、ＨＤＭＩケーブル１０３で接続され、映像・音声を伝送すると共に、相互にＣｏｎｓｕｍｅｒ Ｅｌｅｃｔｒｏｎｉｃｓ Ｃｏｎｔｒｏｌ（ＣＥＣ）を介して、ＣＥＣコマンドを送受信することができる。
【００２４】
（システムの動作）
図６は、本発明の一実施例に係るＴＶ１０１とＤＶＤ１０２の連携動作における、ＤＶＤ１０２の動作を示すフロー図である。ユーザ３０１が、ＤＶＤ１０２でＩＰ放送のチャンネルＡを視聴する際は、まずＴＶ１０１に入力切替操作を行ない、ＤＶＤレコーダ１０２の映像出力をＴＶ１０１の画面に出力させる。このとき、ＴＶ１０１のマイコン４０３は、デコーダ４０６に指示し、ＨＤＭＩ／ＣＥＣ通信部４０４から入力されたＤＶＤ１０２の映像出力信号をディスプレイ／スピーカ４０７に出力する制御を行なう。次にユーザ３０１がＤＶＤレコーダ１０２に対して、チャンネルＡの視聴操作を行なうと、ＤＶＤレコーダ１０２は、エッジルータ１０５に対して、２２５．１．１．１宛のＩＧＭＰ Ｊｏｉｎメッセージを送信し、チャンネルＡの受信・再生が開始される（Ｓ７０１）。
【００２５】
次にユーザ３０１が、ＴＶ１０１の入力切替操作を行ない、例えば、地上デジタル放送のチャンネルを視聴したとする。ＴＶ１０１のマイコン４０３は、デコーダ４０６に指示し、ディスプレイ／スピーカ４０７へ出力する映像信号を、ＨＤＭＩ／ＣＥＣ通信部４０４から入力される映像信号から、チューナ４０５から入力される映像信号に切り替えると共に、ＨＤＭＩ／ＣＥＣ通信部４０４に指示し、ＴＶ１０１の入力切替が行なわれたことをＤＶＤ１０２のＨＤＭＩ／ＣＥＣ通信部５０４に通知する（Ｓ７０２）。
【００２６】
ＤＶＤ１０２のマイコン５０３は、ＨＤＭＩ／ＣＥＣ通信部５０４から、ＴＶ１０１で入力切替が行なわれたことを通知されると（Ｓ７０３）、ＩＰ通信部５０５に指示し、エッジルータ１０５に対して、２２５．１．１．１宛のＩＧＭＰ Ｌｅａｖｅメッセージを送信し（Ｓ７０４）、チャンネルＡの受信・再生を終了させる（Ｓ７０５）。このような制御をＤＶＤ１０２で実行することにより、ユーザが視聴していない状態で、意図せずにＩＰ放送の受信・再生を継続することを防止し、ネットワーク帯域が無駄に占有されることを防ぐことが可能となる。
【００２７】
図７は、本発明の一実施例に係るＴＶ１０１とＤＶＤ１０２の連携動作における、ＤＶＤ１０２の他の動作を示すフロー図である。ユーザ３０１が、ＤＶＤ１０２でＩＰ放送のチャンネルＡを視聴する際は、まずＴＶ１０１に入力切替操作を行ない、ＤＶＤレコーダ１０２の映像出力をＴＶ１０１の画面に出力させる。このとき、ＴＶ１０１のマイコン４０３は、デコーダ４０６に指示し、ＨＤＭＩ／ＣＥＣ通信部４０４から入力されたＤＶＤ１０２の映像出力信号をディスプレイ／スピーカ４０７に出力する制御を行なう。次にユーザ３０１がＤＶＤレコーダ１０２に対して、チャンネルＡの視聴操作を行なうと、ＤＶＤレコーダ１０２は、エッジルータ１０５に対して、２２５．１．１．１宛のＩＧＭＰ Ｊｏｉｎメッセージを送信し、チャンネルＡの受信・再生が開始される（Ｓ１０）。
【００２８】
次にユーザ３０１が、ＴＶ１０１の入力切替操作を行ない、例えば、地上デジタル放送のチャンネルを視聴したとする。ＴＶ１０１のマイコン４０３は、デコーダ４０６に指示し、ディスプレイ／スピーカ４０７へ出力する映像信号を、ＨＤＭＩ／ＣＥＣ通信部４０４から入力される映像信号から、チューナ４０５から入力される映像信号に切り替えると共に、ＨＤＭＩ／ＣＥＣ通信部４０４に指示し、ＴＶ１０１の入力切替が行なわれたことをＤＶＤ１０２のＨＤＭＩ／ＣＥＣ通信部５０４に通知する（Ｓ１１）。
【００２９】
ＤＶＤ１０２のマイコン５０３は、ＨＤＭＩ／ＣＥＣ通信部５０４から、ＴＶ１０１で入力切替が行なわれたことを通知されると（Ｓ１２）、チャンネルＡを録画中であるか否かを判定する（Ｓ１３）。チャンネルＡを録画中である場合は、チャンネルＡの受信を継続する（Ｓ１０に戻る）。チャンネルＡを録画していない場合は、ＩＰ通信部５０５に指示し、エッジルータ１０５に対して、２２５．１．１．１宛のＩＧＭＰ Ｌｅａｖｅメッセージを送信し（Ｓ１４）、チャンネルＡの受信・再生を終了させる（Ｓ１５）。このような制御をＤＶＤ１０２で実行することにより、ユーザが視聴していない状態で、かつ当該番組を録画していない場合に限り、意図せずにＩＰ放送の受信・再生を継続することを防止し、ネットワーク帯域が無駄に占有されることを防ぐことが可能となる。
【産業上の利用可能性】
【００３０】
本発明の映像システム、映像受信端末および映像表示端末は、ネットワーク帯域の浪費を防止するとともにリソースの効率的な利用を図ることができるという効果を奏し、例えばＤＶＤレコーダやテレビなどに適用することができる。
【図面の簡単な説明】
【００３１】
【図１】本発明に係るＩＰマルチキャスト技術を用いたＩＰ放送システムの構成を示した図である。
【図２】本発明に係るＩＰ放送チャンネル名とマルチキャストアドレスの対応表を示した図である。
【図３】本発明に係るＩＰ放送システムの基本動作を示した通信シーケンス図である。
【図４】本発明に係るＴＶ１０１の構成を示したブロック図である。
【図５】本発明に係るＤＶＤレコーダ１０２の構成を示したブロック図である。
【図６】本発明に係るＴＶ１０１とＤＶＤレコーダ１０２の連携動作におけるＤＶＤレコーダ１０２の動作フロー図である。
【図７】本発明に係るＴＶ１０１とＤＶＤレコーダ１０２の連携動作におけるＤＶＤレコーダ１０２の他の動作フロー図である。
【符号の説明】
【００３２】
１０１  ＴＶ
１０２  ＤＶＤレコーダ
１０３  ＨＤＭＩケーブル
１０４  ＩＰネットワーク
１０５  エッジルータ
１０６  映像サーバ
２０１  チャンネル対応表
３０１  ユーザ
４０２  リモコン受信部
４０３  マイコン
４０４  ＨＤＭＩ／ＣＥＣ通信部
４０５  ＩＰ通信部
４０６  デコーダ
４０７  ディスプレイ／スピーカ
５０２  リモコン受信部
５０３  マイコン
５０４  ＨＤＭＩ／ＣＥＣ通信部
５０５  ＩＰ通信部
５０６  デコーダ
５０７  映像・音声出力部
５０８  メモリ
５０９  チャンネル対応表
【図１】
2009218816.tif 000003
【図２】
2009218816.tif 000004
【図３】
2009218816.tif 000005
【図４】
2009218816.tif 000006
【図５】
2009218816.tif 000007
【図６】
2009218816.tif 000008
【図７】
2009218816.tif 000009